(57)【特許請求の範囲】
【請求項１】
一半側および他半側の両側の端面が開口し、一方の電線と他方の電線を接続する圧縮スリーブであって、
前記両側の端面のうち少なくとも前記他半側の端面は、一半側に前記一方の電線を挿入したときに、前記一方の電線の周りに回すことにより、前記他半側の端面の開口の向きが変化するように縦軸線に対して斜めに形成されている、圧縮スリーブ。
【請求項２】
前記一半側の端面が縦軸線に対して斜めに形成されている、請求項１に記載の圧縮スリーブ。
【請求項３】
一半側および他半側の両側の端面が開口し、少なくとも他半側の端面が縦軸線に対して斜めに形成されている圧縮スリーブを用いて、一方の電線と他方の電線とを接続する電線の接続方法であって、
前記圧縮スリーブの一半側に前記一方の電線を挿入する工程と、
前記圧縮スリーブを前記一方の電線の周りに回すことにより、前記他方の電線の端部と前記他半側の端面の開口とのセンタ合わせを行う工程と、
前記他方の電線を前記圧縮スリーブの他半側に挿入する工程と、
前記圧縮スリーブを圧縮することにより、前記一方の電線および前記他方の電線を前記圧縮スリーブに固定する工程と
を含む、電線の接続方法。
【請求項４】
間接活線工法により前記一方の電線および前記他方の電線の接続を行う、請求項３に記載の電線の接続方法。
【発明の詳細な説明】
【０００１】
【発明の属する技術分野】
本発明は、電線を接続するための圧縮スリーブに関する。
【０００２】
【従来の技術】
従来、電線を接続する圧縮スリーブは、断面形状が実質上、真円形である。このため圧縮スリーブは、ダイスに挟んで圧締すると、全周３６０°に亘って均等に圧縮される。
【０００３】
従って、電線が多数の素線による太い撚り線の場合、ダイスの圧締作用が中間部以内の素線にまで波及し難く、中間部以内の素線が接続不良となる。因みに、従来の圧縮スリーブは、ほぼ直径３０ｍｍ以上の電線には適用できない制約がある。撚り線を数層、撚り線間の空隙をコンパウンドで埋めた形で、撚り合わせた電線の場合、特に問題である。このタイプの電線では、前記コンパウンドのため、中間部以内の撚り線に対するダイス圧締作用の波及効果が更に悪くなり、中間部以内の撚り線の接続がより悪化する。
【０００４】
また、従来の圧縮スリーブは、端面がスリーブ縦軸線に対し直角になっている。縦軸線と端面が直交する圧縮スリーブでは、近時、要求されることが多くなった活線の接続の場合、次の如く、良好な作業性が得られない。
【０００５】
活線は送電塔等に既に架設された電線であり、その接続は狭い足場での作業となる。
【０００６】
活線の接続には、間接活線工法（活線から離れた箇所で、絶縁操作棒等によって作業する工法）が取られる。
【０００７】
圧縮スリーブを使用して、電線を接続するには、一方の電線の端部を一半側に挿入したスリーブの他半側と他方の電線の端部とを、センタ合わせする必要がある。
【０００８】
端面が縦軸線と直角のスリーブは、電線の端部をスリーブ一半側に挿入すると、そのスリーブ他半側の端面は、該電線端部の縦軸線に対する角度が同軸線の周り３６０°につき殆ど同じである。
【０００９】
従って、スリーブ他半側の端面と今一つの電線端部とのセンタがずれていた場合、当該端面と電線端部とをセンタ合わせるには、２本の電線の少なくとも何れかの端部の向きを変える必要がある。
【００１０】
電線端部の向きを変えるのは、端部が曲がっている電線につき行うのは容易ではない。接続される電線の端部が曲っているのは、例えば、ジャンパ線（図３参照）である。図３において、４がジャンパ線、５がジャンパ線３の被接続箇所を示している。
【００１１】
操作棒等での間接的な扱いで、しかも狭い足場での作業により、曲がった電線の端部の向きを補正するのは困難である。
【００１２】
従来、圧縮スリーブによる活線の接続の作業性をよくする点については、未解決である。
【００１３】
【発明が解決しようとする課題】
本発明の課題は、３０ｍｍ程度と直径の大きな電線でも、中間部以内の素線の接続を良好に行い得る電線接続用スリーブを開発するにある。
【００１４】
また本発明は、望むならば、被接続端部が湾曲した電線についても、その接続に必要とする圧縮スリーブ端面と該電線端部とのセンタ合わせを容易に行えるようにすることを課題としている。
【００１５】
【課題を解決するための手段】
本発明の圧縮スリーブは、一半側および他半側の両側の端面が開口し、一方の電線と他方の電線を接続する圧縮スリーブであって、両側の端面のうち少なくとも他半側の端面は、一半側に一方の電線を挿入したときに、一方の電線の周りに回すことにより、他半側の端面の開口の向きが変化するように縦軸線に対して斜めに形成されている。好ましくは、一半側の端面が縦軸線に対して斜めに形成されている。本発明の電線の接続方法は、一半側および他半側の両側の端面が開口し、少なくとも他半側の端面が縦軸線に対して斜めに形成されている圧縮スリーブを用いて、一方の電線と他方の電線とを接続する電線の接続方法であって、圧縮スリーブの一半側に一方の電線を挿入する工程と、圧縮スリーブを一方の電線の周りに回すことにより、他方の電線の端部と他半側の端面の開口とのセンタ合わせを行う工程と、他方の電線を圧縮スリーブの他半側に挿入する工程と、圧縮スリーブを圧縮することにより、一方の電線および他方の電線を圧縮スリーブに固定する工程とを含む。好ましくは、間接活線工法により一方の電線および他方の電線の接続を行う。また、本発明の他の態様においては、電線を接続する圧縮スリーブの外周面の断面形状を長円或いは楕円形としている。好ましくは、当該構成の圧縮スリーブにおいて、スリーブ前後両端面の少なくとも片面は、スリーブ縦軸線に対し斜めに形成する。
【００１６】
【発明の実施の形態】
本発明の実施の形態につき、図面を参照して説明する。電線を接続する圧縮スリーブ１は、外周面を横断面長円或いは楕円形とする。図で３は電線２の挿入深さを規制するストッパである。
【００１７】
外周面が断面長円或いは楕円形の圧縮スリーブ１は、ダイスに挟んで圧締すると、スリーブ１外周面における長円または楕円形の長径領域に、前記ダイスの圧締力が集中的に強く加わる。このためスリーブ１は、当該長径領域が他より強く塑性変形することになる。
【００１８】
即ち、圧縮スリーブ１の前記長径領域において、前記ダイスの圧締作用が強固に働くことになる。このため、被接続電線２が直径３０ｍｍ程度と太い場合でも、電線中間部以内の素線２ａの接続状態が良化される。
【００１９】
好ましくは、圧縮スリーブ１は、前後両端面１ａ，１ａまたは片面１ａを、スリーブ縦軸線に対し斜めに形成する。前後両端面が斜めのスリーブ１を図１（Ａ）に示し、片面が斜めのスリーブ１を図１（Ｂ）に示した。スリーブ１の端面１ａが斜めであると、下記の効果を奏する。
【００２０】
端面が縦軸線と直角のスリーブは、前述のように、湾曲した電線の接続につき、電線の端部とのセンタ合わせが困難である。
【００２１】
これと異なり、端面１ａが斜めになっているスリーブ１では、両端面傾斜の場合、一半側に電線２端部に嵌めると、他半側の端面が該電線端部の縦軸線に対し斜めとなる。
【００２２】
従って、スリーブ１を電線２の周りに回すことにより、電線２端部の縦軸線に対するスリーブ１の当該他半側端面の向きが変わる。このことは、電線２端部の向きを変更することなく、スリーブ端面１ａと電線２端部とのセンタ合わせを行えることを意味する。即ち、そのセンタ合わせを容易に行い得る。
【００２３】
片側の端面１ａが斜めのスリーブ１では、端面が斜めでない方の一半側に電線２端部に挿入すれば、他半側の端面が該電線端部の縦軸線に対し斜めとなり、前示と同様の成果が得られる。
【００２４】
【発明の効果】
以上に説明したところから明らかなように本発明によれば、次の効果が奏功される。
【００２５】
１．３０ｍｍ程度と直径の大きな電線の場合でも、それに適用した圧縮スリーブの介在下、ダイスの圧締作用を電線中間部以内に波及させることができ、電線中間部以内の素線の接続を良化する。
２．被接続端部が湾曲した電線についても、その接続に必要とする圧縮スリーブ端面と該電線端部とのセンタ合わせを容易に行える。
【図面の簡単な説明】
【図１】図１（Ａ）は本発明に係る圧縮スリーブの一例を示す正面図であり、図１（Ｂ）は本発明に係る圧縮スリーブの他例の正面図を示す。
【図２】図１（Ａ），図１（Ｂ）に示すスリーブの側面図である。
【図３】ジャンパ線の例示斜面図である。
【符号の説明】
１    圧縮スリーブ
１ａ  端面
２    被接続電線
【図１】
0004096134.tif 000002
【図２】
0004096134.tif 000003
【図３】
0004096134.tif 000004